(57)【要約】【課題】ベッド上で側臥位にした要介護者が仰臥位の状態にならないように補助する介護補助具を提供することにある。【解決手段】介護補助具１０は、ベッド５上で側臥位にした要介護者Ｐが仰臥位の状態にならないように補助する。介護補助具１０は、ベッド５のサイドレール６に引っ掛ける引掛部２０と、引掛部２０の側に向いた側臥位の要介護者Ｐが側臥位を維持するように、側臥位の要介護者Ｐの背中Ｂに当接する背中当接部４０と、引掛部２０と背中当接部４０とを接続する接続部６０と、を備える。接続部６０は、側臥位の要介護者Ｐの胴体Ｄを跨ぐ。【選択図】図８
2018079141.tif 000002
【特許請求の範囲】
【請求項１】
ベッド上で側臥位にした要介護者が仰臥位の状態にならないように補助する介護補助具であって、
前記ベッドのサイドレールに引っ掛ける引掛部と、
前記引掛部の側に向いた側臥位の要介護者が側臥位を維持するように、前記側臥位の要介護者の背中に当接する背中当接部と、
前記引掛部と前記背中当接部とを接続する接続部と、を備え、
前記接続部は、前記側臥位の要介護者の胴体を跨ぐ、介護補助具。
【請求項２】
前記背中当接部は、前記接続部に接続する樹脂製の棒状当接部と、前記棒状当接部を包み、前記側臥位の要介護者の背中に当接するクッション部とを含む、請求項１に記載の介護補助具。
【請求項３】
前記接続部は、前記引掛部と前記背中当接部との間の長さを調節する長さ調節部を有する、請求項１又は２に記載の介護補助具。
【請求項４】
前記接続部は、前記長さ調節部と前記引掛部との間に形成された引掛側エルボ部と、前記長さ調節部と前記背中当接部との間に形成された当接側エルボ部とを含む、請求項３に記載の介護補助具。
【請求項５】
前記引掛部は、樹脂製のパイプで構成され、前記サイドレールの外径より小さい幅のスリットを有する、請求項１から４のいずれかに記載の介護補助具。
【発明の詳細な説明】
【技術分野】
【０００１】
本発明は、ベッド上の側臥位にした要介護者が仰臥位の状態にならないように補助する介護補助具に関する。
【背景技術】
【０００２】
寝たきり老人等の要介護者のおむつ交換は、介護者の介護によって行われており、要介護者が横向きの姿勢（側臥位）又は要介護者の脚部を持ち上げて腰部を浮かせた姿勢で行われている。
【０００３】
要介護者のおむつ交換を要介護者の脚部を持ち上げて腰部を浮かせた姿勢で行う場合、要介護者の脚部を持ち上げ、その状態を維持しながらおむつ交換の作業を１名の介護者で行うことがある。この場合、要介護者の脚部を持ち上げた状態でおむつ交換をすることは、作業性が悪く介護者にとって重労働となり、腰痛を生ずることも多い。そこで、１名の介護者でおむつ交換できて、介護者の労力を軽減して腰痛を防止でき、また、ベッド間を簡単に移動して使用できる介護補助装置が提案されている（特許文献１参照）。
【０００４】
他方、仰向けに寝ている要介護者（仰臥位の要介護者）に、横向きになってもらうための介護（仰臥位から側臥位の介護）は、非特許文献１に記載されているように、介護者が手作業で要介護者を側臥位の状態にすることができる。
【先行技術文献】
【特許文献】
【０００５】
【特許文献１】登録実用新案第３１３２４２３号公報
【非特許文献】
【０００６】
【非特許文献１】株式会社Roseau  Pensant、横向きになる介助  介護の技術〜介護応援ネット、［online］、［平成２８年１１月８日検索］、インターネット〈URL：http://kaigoouen.net/skill/body/body_5.html〉
【発明の概要】
【発明が解決しようとする課題】
【０００７】
しかし、仰臥位から側臥位の介護は、介護者が要介護者を側臥位の状態から仰臥位の状態にならないように押さえている必要があるため、１名の介護者でおむつ交換等をすることは難しいという課題を有する。
【０００８】
本発明の目的は、ベッド上で側臥位にした要介護者が仰臥位の状態にならないように補助する介護補助具を提供することにある。
【課題を解決するための手段】
【０００９】
発明者は、鋭意研究をした結果、以下の介護補助具を発明した。
本発明に係る介護補助具は、ベッド上で側臥位にした要介護者が仰臥位の状態にならないように補助する介護補助具であって、前記ベッドのサイドレールに引っ掛ける引掛部と、前記引掛部の側に向いた側臥位の要介護者が側臥位を維持するように、前記側臥位の要介護者の背中に当接する背中当接部と、前記引掛部と前記背中当接部とを接続する接続部と、を備え、前記接続部は、前記側臥位の要介護者の胴体を跨ぐ。
【００１０】
前記背中当接部は、前記接続部に接続する樹脂製の棒状当接部と、前記棒状当接部を包み、前記側臥位の要介護者の背中に当接するクッション部とを含むことが好ましい。
【００１１】
前記接続部は、前記引掛部と前記背中当接部との間の長さを調節する長さ調節部を有することが好ましい。
【００１２】
前記接続部は、前記長さ調節部と前記引掛部との間に形成された引掛側エルボ部と、前記長さ調節部と前記背中当接部との間に形成された当接側エルボ部とを含むことが好ましい。
【００１３】
前記引掛部は、樹脂製のパイプで構成され、前記サイドレールの外径より小さい幅のスリットを有することが好ましい。
【発明の効果】
【００１４】
本発明によれば、接続部は、側臥位の要介護者の胴体を跨ぐように、引掛部と背中当接部とを接続しているので、背中当接部を、引掛部の側に向いた側臥位の要介護者の背中に当接させることができる。このため、引掛部の側に向いた側臥位の要介護者が仰臥位の状態になろうとしても、背中当接部が側臥位の要介護者の背中を支えることができるので、ベッド上で側臥位にした要介護者が仰臥位の状態にならないように補助する介護補助具を提供することができる。
【図面の簡単な説明】
【００１５】
【図１】本発明に係る介護補助具のクッション部を省略した斜視図である。
【図２】図１に示した介護補助具の別の方向から見た斜視図である。
【図３】図１に示した介護補助具にクッション部を取り付けた斜視図である。
【図４】図３に示した介護補助具の別の方向から見た斜視図である。
【図５】図３に示した介護補助具の使用方法を説明するための斜視図である。
【図６】図５に示した介護補助具の引掛部の状態を説明するための斜視図である。
【図７】図５に続く介護補助具の使用方法を説明するための斜視図である。
【図８】図７に続く介護補助具の使用方法を説明するための斜視図である。
【図９】図８に続く介護補助具の使用方法を説明するための斜視図である。
【図１０】図９に続く介護補助具の使用方法を説明するための斜視図である。
【発明を実施するための形態】
【００１６】
以下、図面を参照して本発明を実施するための形態（以下、実施形態）について詳細に説明する。
【００１７】
図１は、本発明に係る介護補助具のクッション部を省略した斜視図である。図２は、図１に示した介護補助具の別の方向から見た斜視図である。図３は、図１に示した介護補助具にクッション部を取り付けた斜視図である。図４は、図３に示した介護補助具の別の方向から見た斜視図である。図５は、図３に示した介護補助具の使用方法を説明するための斜視図である。図６は、図５に示した介護補助具の引掛部の状態を説明するための斜視図である。図７は、図５に続く介護補助具の使用方法を説明するための斜視図である。図８は、図７に続く介護補助具の使用方法を説明するための斜視図である。図９は、図８に続く介護補助具の使用方法を説明するための斜視図である。図１０は、図９に続く介護補助具の使用方法を説明するための斜視図である。
【００１８】
（介護補助具）
図１に示すように、介護補助具１０は、引掛部２０と、背中当接部４０と、接続部６０とを備える。図８に示すように、介護補助具１０は、ベッド５上の側臥位にした要介護者Ｐが仰臥位の状態にならないように補助する補助具である。
【００１９】
（引掛部）
図１、図２及び図４に示すように、引掛部２０は、ベッド５のサイドレール６（図５参照）に引っ掛けることができるように、樹脂製のパイプ２１で構成され、パイプ２１の側面に形成され、パイプ２１の軸方向に伸びるスリット２２を有する。
【００２０】
図６に示すように、パイプ２１がサイドレール６の周りを容易に回転することができるように、パイプ２１の内径は、サイドレール６の外径より若干大きいことが好ましい。スリット２２の幅は、サイドレール６の外径より小さいことが好ましい。
【００２１】
図４に示すように、パイプ２１の軸方向において、スリット２２の中央の幅が、両端の幅より狭いことが好ましい。このようにすることにより、パイプ２１の端のスリット２２の幅が中央の幅より広いので、パイプ２１の端をサイドレール６に押し付けることにより、パイプ２１を端のスリット２２から容易にサイドレール６に嵌め込むことができる。また、パイプ２１の端をサイドレール６から浮き上がらせることにより、パイプ２１をサイドレール６から容易に取り外すことができる。
【００２２】
（背中当接部）
図２及び図４に示すように、背中当接部４０は、接続部６０に接続する樹脂製の棒状当接部４１と、棒状当接部４１を包み、側臥位の要介護者Ｐの背中Ｂに当接するクッション部８０とを含む。
【００２３】
クッション部８０は、例えば、ウレタンフォーム、布団、座布団等、弾性力のある板部材である。
【００２４】
棒状当接部４１は、１本の樹脂製の長いパイプ４２ａの両端側に、２本の樹脂製の短いパイプ４２ｂをねじ部材４３で固定したものである。この２本の樹脂製のパイプ４２ｂをねじ部材４３で固定しているので、棒状当接部４１の側面には、ねじ部材４３の一部が突起状に露出しているが、クッション部８０は、ねじ部材４３の一部が要介護者Ｐの背中Ｂに直接あたらないように、棒状当接部４１を包んでいる。パイプ４２ａの長さは、介護者Ｑの肩幅程度であることが好ましい。
【００２５】
また、クッション部８０は、ねじ部材４３の一部が棒状当接部４１の側面から突起状に露出しているので、棒状当接部４１の軸方向へのズレを阻止する。このため、棒状当接部４１を包んだクッション部８０は、棒状当接部４１対してズレにくい。
【００２６】
（接続部）
接続部６０は、側臥位の要介護者Ｐの胴体Ｄを跨ぐように、引掛部２０と背中当接部４０とを接続する。接続部６０は、引掛部２０と背中当接部４０との間の長さを調節する長さ調節部６２を有する。
【００２７】
また、接続部６０は、長さ調節部６２と引掛部２０との間に形成された引掛側エルボ部６５と、長さ調節部６２と背中当接部４０との間に形成された当接側エルボ部６６とを含む。
【００２８】
図２及び図３に示すように、長さ調節部６２は、例えば、両端に雌ねじ部６３が形成されたパイプ６４である。一方の雌ねじ部６３は右ねじであり、他方の雌ねじ部６３は左ねじ（逆ねじ）である。
【００２９】
引掛側エルボ部６５は、直角に曲がった樹脂製のパイプであり、その一端には、右ねじの雌ねじ部６３と螺合する雄ねじ部６７が形成されている。引掛側エルボ部６５の他端は、引掛部２０のパイプ２１の中央の、スリット２２とは反対側の側面に接続している。
【００３０】
当接側エルボ部６６は、直角に曲がった樹脂製のパイプであり、その一端には、左ねじの雌ねじ部６３と螺合する雄ねじ部６８が形成されている。当接側エルボ部６６の他端は、背中当接部４０のパイプ４２ａの中央の、パイプ４２ｂが取り付けられている側とは反対の側面に接続している。
【００３１】
接続部６０は、直角に曲がった引掛側エルボ部６５及び当接側エルボ部６６を有するので、側臥位の要介護者Ｐの胴体Ｄを跨ぐことができるコの字形状を有する。
【００３２】
長さ調節部６２は、いわゆるターンバックル（ロープ、ワイヤー、タイロッド等の張力を調節する装置であり、金属製の胴の両端にねじ山が切られていて、一方は右ねじ、もう一方は左ねじ（逆ねじ）になっており、この胴を回転させることで両端に取り付けられたボルトが締め込まれ（又は緩められ）、張力を調節することができる。）と同様の構造を有する。このため、長さ調節部６２を回転させることにより、引掛側エルボ部６５と当接側エルボ部６６との間の距離が長くなったり短くなったりする。
【００３３】
（使用方法）
以上の介護補助具１０は、以下のようにして使用する。
【００３４】
（仰臥位から側臥位にする手順）
図５に示すように、要介護者Ｐは、ベッド５上に仰臥位の状態となっている。
【００３５】
図５及び図６に示すように、背中当接部４０がサイドレール６の周りを揺動可能に、介護補助具１０の引掛部２０をベッド５のサイドレール６に引っ掛ける。図５に示すように、これにより、背中当接部４０は、要介護者Ｐの胴体Ｄの上側（腹の上）に位置する。
【００３６】
図７に示すように、介護者Ｑは、ベッド５の引掛部２０がある側に立つ。これにより、介護者Ｑは、要介護者Ｐの胴体Ｄの横に位置する。
【００３７】
次に、介護者Ｑは、背中当接部４０の下を腕で押し上げつつ、要介護者Ｐの引掛部２０とは反対側の肩や腰に両手を添える。パイプ４２ａの長さが介護者Ｑの肩幅程度であると、介護者Ｑは、両腕を平行に背中当接部４０の下側に伸ばすことができる。
【００３８】
次に、背中当接部４０が要介護者Ｐに当たらないように、腕で押上ながら、ゆっくりと、要介護者Ｐの肩や腰を介護者Ｑ側（引掛部２０側）に両手で引き寄せ、要介護者Ｐを仰臥位から側臥位にする。これにより、側臥位になった要介護者Ｐの背中Ｂは、背中当接部４０よりも、引掛部２０側に位置する。
【００３９】
そして、図８に示すように、背中当接部４０を側臥位になった要介護者Ｐの背中Ｂに位置するように、背中当接部４０を下げる。これにより、背中当接部４０は、引掛部２０の側に向いた側臥位の要介護者Ｐが側臥位を維持するように、側臥位の要介護者Ｐの背中Ｂに当接する。このとき、接続部６０は、側臥位の要介護者Ｐの胴体Ｄを跨ぐことになる。これにより、側臥位にした要介護者Ｐが仰臥位になろうとしても、背中当接部４０が要介護者Ｐの背中Ｂの略中央で支えているので、要介護者Ｐが容易に仰臥位にならない。
【００４０】
こうして、ベッド５上で側臥位にした要介護者Ｐが仰臥位の状態にならないように補助することができる。
【００４１】
長さ調節部６２を回転させることにより、背中当接部４０と引掛部２０との間の距離を調節することができるので、要介護者Ｐの側臥位の程度を微調整することができる。
【００４２】
介護者Ｑは、側臥位の要介護者Ｐのおむつ交換等を行う。このとき、要介護者Ｐが仰臥位になるおそれはないので、介護者Ｑは、要介護者Ｐを殆ど支えないでおむつ交換等をすることができる。
【００４３】
（側臥位から仰臥位にする手順）
次に、図９に示すように、介護者Ｑは、腕を伸ばした状態で、接続部６０の引掛側エルボ部６５を持ち、サイドレール６に引っ掛かっている介護補助具１０の引掛部２０を外す。このとき、介護者Ｑは、やや体を後ろに反った体制で、引掛部２０を自身側に引っ張り力を付与しながら行うことが好ましい。
【００４４】
次に、図１０に示すように、介護者Ｑは、緩やかに、引張り力を弱めることにより、側臥位の要介護者Ｐを仰臥位にする。このとき、背中当接部４０が要介護者Ｐの背中Ｂに当接した状態を維持しつつ、要介護者Ｐの背中Ｂの面が垂直から水平への回転に合わせて、要介護者Ｐを中心に介護補助具１０を回転させる。これにより、引掛部２０は、要介護者Ｐの上側に位置する。
【００４５】
介護者Ｑは、緩やかに、引張り力を弱めるだけで、側臥位の要介護者Ｐを仰臥位にすることができる。特に、引張り力を弱めるという作業は人間工学的に繊細な力加減の調整をすることができる作業である。このため、要介護者Ｐの状態に合わせて、きめ細かく、仰臥位にすることができる。
【００４６】
また、接続部６０は、側臥位の要介護者Ｐの胴体Ｄを跨ぐ形状を有しているので、介護者Ｑは、介護補助具１０を介して要介護者Ｐの背中Ｂの中央を支えることができる。
【００４７】
具体的には、接続部６０は、側臥位の要介護者Ｐの胴体Ｄを跨ぐように、引掛部２０と背中当接部４０とを接続しているので、背中当接部４０を、引掛部２０の側に向いた側臥位の要介護者Ｐの背中Ｂに当接させることができる。このため、引掛部２０の側に向いた側臥位の要介護者Ｐが仰臥位の状態になろうとしても、背中当接部４０が側臥位の要介護者Ｐの背中Ｂを支えることができるので、介護補助具１０は、ベッド５上で側臥位にした要介護者Ｐが仰臥位の状態にならないように補助することができる。
【００４８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４９】
Ｂ  背中
Ｄ  胴体
Ｐ  要介護者
Ｑ  介護者
５  ベッド
６  サイドレール
１０  介護補助具
２０  引掛部
２１  パイプ
２２  スリット
４０  背中当接部
４１  棒状当接部
４２ａ  パイプ
４２ｂ  パイプ
４３  ねじ部材
６０  接続部
６２  長さ調節部
６３  雌ねじ部
６４  パイプ
６５  引掛側エルボ部
６６  当接側エルボ部
６７  雄ねじ部
６８  雄ねじ部
８０  クッション部
【図１】
2018079141.tif 000003
【図２】
2018079141.tif 000004
【図３】
2018079141.tif 000005
【図４】
2018079141.tif 000006
【図５】
2018079141.tif 000007
【図６】
2018079141.tif 000008
【図７】
2018079141.tif 000009
【図８】
2018079141.tif 000010
【図９】
2018079141.tif 000011
【図１０】
2018079141.tif 000012
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
ベッド上で側臥位にした要介護者が仰臥位の状態にならないように補助する介護補助具であって、
前記ベッドのサイドレールに引っ掛ける引掛部と、
前記引掛部の側に向いた側臥位の要介護者が側臥位を維持するように、前記側臥位の要介護者の背中に当接する背中当接部と、
前記引掛部と前記背中当接部とを接続する接続部と、を備え、
前記接続部は、前記側臥位の要介護者の胴体を跨ぐ、介護補助具において、
前記背中当接部は、前記接続部に接続する樹脂製の棒状当接部と、前記棒状当接部を包み、前記側臥位の要介護者の背中に当接するクッション部とを含む、
介護補助具。
【請求項２】
前記接続部は、前記引掛部と前記背中当接部との間の長さを調節する長さ調節部を有し、
かつ、前記接続部は、前記長さ調節部と前記引掛部との間に形成された引掛側エルボ部と、前記長さ調節部と前記背中当接部との間に形成された当接側エルボ部とを含む、
請求項１に記載の介護補助具。
【手続補正２】
【補正対象書類名】明細書
【補正対象項目名】０００９
【補正方法】変更
【補正の内容】
【０００９】
発明者は、鋭意研究をした結果、以下の介護補助具を発明した。
本発明に係る介護補助具は、ベッド上で側臥位にした要介護者が仰臥位の状態にならないように補助する介護補助具であって、
前記ベッドのサイドレールに引っ掛ける引掛部と、
前記引掛部の側に向いた側臥位の要介護者が側臥位を維持するように、前記側臥位の要介護者の背中に当接する背中当接部と、
前記引掛部と前記背中当接部とを接続する接続部と、を備え、
前記接続部は、前記側臥位の要介護者の胴体を跨ぐ、介護補助具において、
前記背中当接部は、前記接続部に接続する樹脂製の棒状当接部と、前記棒状当接部を包み、前記側臥位の要介護者の背中に当接するクッション部とを含む。
【手続補正３】
【補正対象書類名】明細書
【補正対象項目名】００１０
【補正方法】変更
【補正の内容】
【００１０】
前記接続部は、前記引掛部と前記背中当接部との間の長さを調節する長さ調節部を有し、
かつ、前記接続部は、前記長さ調節部と前記引掛部との間に形成された引掛側エルボ部と、前記長さ調節部と前記背中当接部との間に形成された当接側エルボ部とを含む、ことが好ましい。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】